(57)【要約】【課題】  液晶表示装置の薄型化、狭額縁化を可能にする。【解決手段】  表示パネルと、第１のフレキシブル配線板と、第２のフレキシブル配線板とを有し、前記第１のフレキシブル配線板の第１の配線と、前記第２のフレキシブル基板の第２の配線とが接続されている表示装置であって、前記第２のフレキシブル配線板は、前記第２の配線と前記第１の配線との接続箇所の近傍に、前記第２の配線の延在方向と垂直な方向の幅が第１の幅Ｗ１である区間と、前記第１の幅Ｗ１よりも狭い第２の幅Ｗ２である区間とを有し、前記第１のフレキシブル配線板は、前記第２の配線の延在方向と垂直な方向で前記第２のフレキシブル配線板を挟む２カ所に固体部品が取り付けられており、前記第１の幅Ｗ１、前記第２の幅Ｗ２、前記２カ所の固体部品の間隙Ｗ３の関係が、Ｗ１＞Ｗ３≧Ｗ２である表示装置。【選択図】        図４（ａ）
2009294597.tif 000002
【特許請求の範囲】
【請求項１】
表示パネルと、前記表示パネルに接続された第１のフレキシブル配線板と、前記第１のフレキシブル配線板に接続された第２のフレキシブル配線板とを有し、前記第１のフレキシブル配線板が有する第１の配線と、前記第２のフレキシブル基板が有する第２の配線とが接続されている表示装置であって、
前記第２のフレキシブル配線板は、フィルム状絶縁基板の表面に前記第２の配線を有し、
前記フィルム状絶縁基板は、前記第２の配線のうちの前記第１の配線との接続箇所の近傍に、前記第２の配線の延在方向と垂直な方向の幅が第１の幅である区間と、前記第１の幅よりも狭い第２の幅である区間とを有し、
前記第１のフレキシブル配線板は、前記第２のフレキシブル配線板と対向する面のうちの、前記フィルム状絶縁基板の幅が前記第１の幅から前記第２の幅に変動する箇所であり、かつ、前記フィルム状絶縁基板の前記第２の配線の延在方向と垂直な方向で当該フィルム状絶縁基板を挟む２カ所に、固体部品が取り付けられており、
前記第１の幅をＷ１、前記第２の幅をＷ２、前記２カ所の固体部品の間隙をＷ３としたときに、Ｗ１＞Ｗ３≧Ｗ２であることを特徴とする表示装置。
【請求項２】
前記フィルム状絶縁基板は、前記第１の幅である区間の一部分が、前記第１のフレキシブル配線板と前記固体部品との間に挟まれていることを特徴とする請求項１に記載の表示装置。
【請求項３】
前記フィルム状絶縁基板は、前記第２の配線の延在方向で見たときに、前記第２の幅である区間の両側に前記第１の幅である区間を有することを特徴とする請求項１に記載の表示装置。
【請求項４】
前記フィルム状絶縁基板は、前記第２の配線の延在方向で見たときに、前記第１の幅である区間の両側に前記第２の幅である区間を有することを特徴とする請求項１に記載の表示装置。
【請求項５】
前記固体部品は、チップ状の電子部品であることを特徴とする請求項１に記載の表示装置。
【請求項６】
前記固体部品は、チップ状の電子部品を樹脂封止した部品であることを特徴とする請求項１に記載の表示装置。
【請求項７】
前記固体部品は、前記第１のフレキシブル配線板に固着された第１の部分と、前記第１の部分と連結しており、かつ、前記第１の部分とともに前記フィルム状絶縁基板を挟んで固定する第２の部分とを有する部品であることを特徴とする請求項１に記載の表示装置。
【請求項８】
前記第１のフレキシブル配線板は、前記第２のフレキシブル配線板と重畳する領域の外側に、前記表示パネルに接続される回路が形成された領域を有し、
前記固体部品は、前記回路とは電気的に接続されていないことを特徴とする請求項５または請求項６に記載の表示装置。
【請求項９】
前記固体部品は、外部端子の１つが前記第１のフレキシブル配線板のグランド電位の配線に接続されていることを特徴とする請求項５または請求項６に記載の表示装置。
【請求項１０】
前記表示パネルは、液晶表示パネルであることを特徴とする請求項１に記載の表示装置。
【請求項１１】
当該表示装置は、前記液晶表示パネルの背面側に発光部品を有し、
前記第２のフレキシブル配線板は、前記第１のフレキシブル配線板の前記第１の配線と前記発光部品の外部端子とを接続する配線板であることを特徴とする請求項１０に記載の表示装置。
【発明の詳細な説明】
【技術分野】
【０００１】
本発明は、表示装置に関し、特に、携帯型電子機器に用いられる小型の液晶表示装置に適用して有効な技術に関するものである。
【背景技術】
【０００２】
従来、携帯電話端末、ＰＤＡ、携帯型ゲーム機などの携帯型電子機器の表示部には、主に液晶表示装置が用いられている。
【０００３】
液晶表示装置は、たとえば、一対の基板の間に液晶材料を封入した液晶表示パネルと、液晶表示パネルの背面側に配置されるバックライトとを有する。携帯型電子機器に用いる液晶表示装置のバックライトは、一般に、エッジライト方式または導光板方式と呼ばれるバックライトであり、導光板と、１個乃至数個の発光部品とを有する。このとき、発光部品は、たとえば、冷陰極蛍光管などの蛍光ランプまたはＬＥＤである。
【０００４】
またこのとき、液晶表示パネルには、第１のフレキシブル配線板が接続されており、第１のフレキシブル配線板には、第２のフレキシブル配線板が接続されている。第１のフレキシブル配線板は、液晶表示パネルを駆動させるための電力や制御信号を供給するための回路や、発光部品に電力を供給するための配線（第１の配線）を有する。また、第２のフレキシブル配線板は、第１の配線と発光部品の外部端子とを接続する配線（第２の配線）を有する。このとき、第１の配線と第２の配線は、たとえば、はんだで接続されている。
【発明の開示】
【発明が解決しようとする課題】
【０００５】
携帯型電子機器の表示部に用いられる液晶表示装置は、薄型化、狭額縁化などの要求が高く、たとえば、第１のフレキシブル配線板および第２のフレキシブル配線板の外形の小型化（小面積化）が望まれている。
【０００６】
ところで、従来の液晶表示装置の組み立て作業において、第１のフレキシブル配線板の第１の配線と第２のフレキシブル配線板の第２の配線を接続するときには、たとえば、第１のフレキシブル基板に設けた突起を、第２のフレキシブル配線板のフィルム状絶縁基板に設けた穴に挿入することで第１の配線と第２の配線との位置合わせをしている。このとき、第１のフレキシブル配線板の突起は、たとえば、第１のフレキシブル配線板の絶縁基板に穴を開け、当該穴に樹脂などで形成した棒状部材を挿入して設ける。
【０００７】
しかしながら、第１のフレキシブル基板に設ける突起（棒状部材）は、たとえば、直径が１ｍｍ程度必要であり、第２のフレキシブル配線板の位置合わせ用の穴も同程度の寸法、すなわち、直径が１ｍｍ程度必要である。このとき、第２のフレキシブル配線板の位置合わせ用の穴は、第２の配線が延在する部分の外側に設ける必要があることはもちろんである。
【０００８】
また、第１のフレキシブル配線板は、前述のように、第１の配線の他に、液晶表示パネルを駆動させるための電力や制御信号を供給するための回路が設けられており、たとえば、絶縁基板の第２のフレキシブル配線板と対向面およびその裏面に回路用の配線を形成している。しかしながら、第１のフレキシブル配線板の絶縁基板は、位置合わせ用の突起を挿入するための穴が形成されているので、たとえば、絶縁基板の前記裏面のうちの、前記穴が形成されている領域の周辺に回路用の配線を形成することができない。
【０００９】
以上のようなことから、従来の液晶表示装置では、第１のフレキシブル配線板および第２のフレキシブル配線板の外形のさらなる小型化が難しく、液晶表示装置の薄型化、狭額縁化が難しいという問題があった。
【００１０】
また、従来の第１のフレキシブル配線板は、位置合わせ用の突起を設けるために、絶縁基板に設けた穴に棒状部材を挿入し、固定する必要がある。そのため、従来の液晶表示装置の製造方法（組み立て方法）では、たとえば、液晶表示装置の生産性が低下するという問題があった。
【００１１】
本発明の目的は、たとえば、液晶表示装置の薄型化、狭額縁化が可能な技術を提供することにある。
【００１２】
本発明の他の目的は、たとえば、液晶表示装置の生産性を向上させることが可能な技術を提供することにある。
【００１３】
本発明の前記ならびにその他の目的と新規な特徴は、本明細書の記述および添付図面によって明らかになるであろう。
【課題を解決するための手段】
【００１４】
本願において開示される発明のうち、代表的なものの概略を説明すれば、以下の通りである。
【００１５】
（１）表示パネルと、前記表示パネルに接続された第１のフレキシブル配線板と、前記第１のフレキシブル配線板に接続された第２のフレキシブル配線板とを有し、前記第１のフレキシブル配線板が有する第１の配線と、前記第２のフレキシブル基板が有する第２の配線とが接続されている表示装置であって、前記第２のフレキシブル配線板は、フィルム状絶縁基板の表面に前記第２の配線を有し、前記フィルム状絶縁基板は、前記第２の配線のうちの前記第１の配線との接続箇所の近傍に、前記第２の配線の延在方向と垂直な方向の幅が第１の幅である区間と、前記第１の幅よりも狭い第２の幅である区間とを有し、前記第１のフレキシブル配線板は、前記第２のフレキシブル配線板と対向する面のうちの、前記フィルム状絶縁基板の幅が前記第１の幅から前記第２の幅に変動する箇所であり、かつ、前記フィルム状絶縁基板の前記第２の配線の延在方向と垂直な方向で当該フィルム状絶縁基板を挟む２カ所に、固体部品が取り付けられており、前記第１の幅をＷ１、前記第２の幅をＷ２、前記２カ所の固体部品の間隙をＷ３としたときに、Ｗ１＞Ｗ３≧Ｗ２である表示装置。
【００１６】
（２）前記（１）の表示装置において、前記フィルム状絶縁基板は、前記第１の幅である区間の一部分が、前記第１のフレキシブル配線板と前記固体部品との間に挟まれている表示装置。
【００１７】
（３）前記（１）の表示装置において、前記フィルム状絶縁基板は、前記第２の配線の延在方向で見たときに、前記第２の幅である区間の両側に前記第１の幅である区間を有する表示装置。
【００１８】
（４）前記（１）の表示装置において、前記フィルム状絶縁基板は、前記第２の配線の延在方向で見たときに、前記第１の幅である区間の両側に前記第２の幅である区間を有する表示装置。
【００１９】
（５）前記（１）の表示装置において、前記固体部品は、チップ状の電子部品である表示装置。
【００２０】
（６）前記（１）の表示装置において、前記固体部品は、チップ状の電子部品を樹脂封止した部品である表示装置。
【００２１】
（７）前記（１）の表示装置において、前記固体部品は、前記第１のフレキシブル配線板に固着された第１の部分と、前記第１の部分と連結しており、かつ、前記第１の部分とともに前記フィルム状絶縁基板を挟んで固定する第２の部分とを有する部品である表示装置。
【００２２】
（８）前記（５）または（６）の表示装置において、前記第１のフレキシブル配線板は、前記第２のフレキシブル配線板と重畳する領域の外側に、前記表示パネルに接続される回路が形成された領域を有し、前記固体部品は、前記回路とは電気的に接続されていない表示装置。
【００２３】
（９）前記（５）または（６）の表示装置において、前記固体部品は、外部端子の１つが前記第１のフレキシブル配線板のグランド電位の配線に接続されている表示装置。
【００２４】
（１０）前記（１）の表示装置において、前記表示パネルは、液晶表示パネルである表示装置。
【００２５】
（１１）前記（１０）の表示装置において、当該表示装置は、前記液晶表示パネルの背面側に発光部品を有し、前記第２のフレキシブル配線板は、前記第１のフレキシブル配線板の前記第１の配線と前記発光部品の外部端子とを接続する配線板である表示装置。
【発明の効果】
【００２６】
本発明の表示装置によれば、前記第１のフレキシブル配線板および前記第２のフレキシブル配線板の外形の小型化（小面積化）が可能であり、表示装置の小型化、狭額縁化が可能である。
【００２７】
また、本発明の表示装置によれば、前記第１のフレキシブル配線板の前記第１の配線と、前記第２のフレキシブル配線板の前記第２の配線との位置合わせが容易であり、表示装置の生産性の向上が可能である。
【発明を実施するための最良の形態】
【００２８】
以下、本発明について、図面を参照して実施の形態（実施例）とともに詳細に説明する。
なお、実施例を説明するための全図において、同一機能を有するものは、同一符号を付け、その繰り返しの説明は省略する。
【実施例１】
【００２９】
図１は、本発明に関わる液晶表示装置の概略構成の一例を示す模式分解斜視図である。
【００３０】
本発明は、たとえば、携帯電話端末などの携帯型電子機器の表示部に用いる液晶表示装置に適用される。このとき、液晶表示装置は、たとえば、図１に示すように、液晶表示パネル１、ドライバＩＣチップ２、第１のフレキシブル配線板３、およびバックライト４を有する。
【００３１】
液晶表示パネル１は、ＴＦＴ基板５と対向基板６との間に液晶材料（図示しない）を封入した表示パネルである。このとき、液晶表示パネル１の表示領域ＤＡは、多数の画素の集合で設定される領域であり、１つの画素は、たとえば、ＴＦＴ素子、ＴＦＴ素子に接続された画素電極、液晶層、および対向電極を有する。またこのとき、ＴＦＴ基板５には、複数本の映像信号線、複数本の走査信号線、コモン配線、ＴＦＴ素子、および画素電極などが配置されており、複数本の映像信号線、複数本の走査信号線、およびコモン配線は、ドライバＩＣチップ２に接続されている。
【００３２】
ドライバＩＣチップ２は、たとえば、複数本の映像信号線のそれぞれに加える映像信号、複数本の走査信号線のそれぞれに加える走査信号、およびコモン配線に加えるコモン電位の信号を生成する駆動回路を有するＩＣチップである。このとき、ドライバＩＣチップ２は、液晶表示装置の外部から入力され、第１のフレキシブル配線板３の回路７で処理された信号に基づいて、映像信号、走査信号、およびコモン電位の信号を生成し、生成した各信号をあらかじめ定められたタイミングで所定の映像信号線、走査信号線、およびコモン配線に加える。
【００３３】
なお、第１のフレキシブル配線板３は、第１のフィルム状絶縁基板の表面に第１の配線３０１を含む多数本の配線が設けられた配線板であり、回路７は、第１のフィルム状絶縁基板の表面に設けられた配線（第１の配線３０１を除く）と、当該配線に接続された抵抗やコンデンサなどの電子部品によって構成されている。
【００３４】
バックライト４は、導光板８、ＬＥＤなどの発光部品９、第２のフレキシブル配線板１０、収納ケース１１、および図示していない光学シート類を有する。
【００３５】
導光板８は、液晶表示パネル１の表示領域ＤＡの背面側に配置されており、発光部品９からの光を面状光線に変換して液晶表示パネルに照射する光学部品である。発光部品９は、第２のフレキシブル配線板１０に実装されており、発光面（光出射面）が導光板８の側面と対向している。第２のフレキシブル配線板１０は、第２のフィルム状絶縁基板の表面に、発光部品９の外部端子と第１のフレキシブル配線板３の第１の配線３０１とを接続する第２の配線（図示しない）が設けられた配線板である。
【００３６】
すなわち、実際の液晶表示装置において、第２のフレキシブル配線板１０の端部ＰＡ１は、第１のフレキシブル配線板３の領域ＰＡ２と重なっており、第１の配線３０１と第２の配線が接続されている。
【００３７】
また、導光板８、発光部品９、第２のフレキシブル配線板１０のうちの発光部品９が実装された部分は、たとえば、液晶表示パネル１と対向する面が開口した概略箱形の収納ケース１１に収容されている。またこのとき、導光板８と液晶表示パネル１との間には、光拡散板、プリズムシートなどの光学シート類が配置されている。
【００３８】
図２（ａ）および図２（ｂ）は、従来の液晶表示装置における第１のフレキシブル配線板と第２のフレキシブル配線板との接続部の概略構成の一例を説明するための模式図である。
図２（ａ）は、従来の液晶表示装置における第１のフレキシブル配線板と第２のフレキシブル配線板との接続部の概略構成の一例を示す模式平面図である。図２（ｂ）は、図２（ａ）に示した部分を下側側面から見た模式側面図である。
なお、図２（ａ）および図２（ｂ）では、第１の配線３０１と第２の配線１００２とを接続固定するはんだや、それぞれの配線板の表面に設けられる保護膜などを省略している。
【００３９】
従来の液晶表示装置における第１のフレキシブル配線板３と第２のフレキシブル配線板１０との接続部は、たとえば、図２（ａ）および図２（ｂ）に示すような構成になっている。すなわち、第２のフレキシブル配線板１０は、第２のフィルム状絶縁基板１００１に位置合わせ用の穴１００１ａ，１００１ｂが設けられており、当該位置合わせ用の穴１００１ａ，１００１ｂには、それぞれ、第１のフレキシブル配線板３の第１のフィルム状絶縁基板３０２に設けられた位置合わせ用の突起１２ａ，１２ｂが挿入されている。このとき、位置合わせ用の突起１２ａ，１２ｂは、それぞれ、第１のフィルム状絶縁基板３０２に設けられた穴３０２ａに挿入固定されている。これにより、第１の配線３０１と第２の配線１００２とのｘｙ平面内での位置合わせが行われる。
【００４０】
またこのとき、第１のフレキシブル配線板３と第２のフレキシブル配線板１０は、それぞれ、可撓性が高い配線板であるため、たとえば、第１の配線３０１と第２の配線１００２とはんだ付けする際に、第２の配線１００２が第１の配線３０１の表面から浮いてしまい、接続不良の原因になることがある。そのため、従来の液晶表示装置の組み立て作業では、たとえば、第１の配線３０１と第２の配線１００２との接続部の近傍において、第１のフレキシブル配線板３と第２のフレキシブル配線板１００２とを両面テープ１３で貼り合わせておくこともある。
【００４１】
しかしながら、このような従来の位置合わせ方法の場合、第２のフィルム状絶縁基板１００１は、第２の配線１００２が延在する領域の外側に、位置合わせ用の穴１００１ａ，１００１ｂを形成するための余剰領域が必要である。このとき、第２のフィルム状絶縁基板１００１の位置合わせ用の穴１００１ａ，１００１ｂの寸法（直径）は、１ｍｍ程度必要である。そのため、第２のフィルム状絶縁基板１００１の余剰領域の寸法Ｄ１は、たとえば、１．５ｍｍ程度必要である。したがって、従来の液晶表示装置における第２のフレキシブル配線板１０は、第２のフィルム状絶縁基板１００１の幅Ｗが広くなり、外形寸法が大きくなってしまう。
【００４２】
また、第１のフレキシブル配線板は、第１の配線３０１の他に、液晶表示パネルを駆動させるための電力や制御信号を供給するための回路７が設けられており、たとえば、第１のフィルム状絶縁基板３０２の第２のフレキシブル配線板１０と対向面およびその裏面に回路７用の配線を形成している。しかしながら、第１のフィルム状絶縁基板３０２は、位置合わせ用の突起を挿入するための穴３０２ａが形成されているので、たとえば、第１のフィルム状絶縁基板３０２の前記裏面のうちの、穴３０２ａが形成されている領域の周辺に回路７用の配線を形成することができない。したがって、従来の液晶表示装置における第１のフレキシブル配線板３は、外形寸法が大きくなってしまう。
【００４３】
図３（ａ）および図３（ｂ）は、本発明による実施例１の液晶表示装置における第１のフレキシブル配線板および第２のフレキシブル配線板の主要部の概略構成の一例を説明するための模式図である。
図３（ａ）は、実施例１の液晶表示装置における第２のフレキシブル配線板の主要部の概略構成の一例を示す模式平面図である。図３（ｂ）は、実施例１の液晶表示装置における第１のフレキシブル配線板の概略構成の一例を示す模式平面図である。
【００４４】
実施例１の液晶表示装置は、第２のフレキシブル配線板１０のうちの、第１のフレキシブル配線板３と接続される部分の構成を、たとえば、図３（ａ）に示したような構成にする。すなわち、実施例１の液晶表示装置における第２のフレキシブル配線板１０の第２のフィルム状絶縁基板１００１は、第２の配線１００２の延在方向（ｘ方向）と平行な辺のそれぞれに、位置合わせ用の切り欠き部１００１ｃ，１００１ｄを有する。
【００４５】
このとき、第２のフィルム状絶縁基板１００１は、第２の配線１００２の延在方向と垂直なｙ方向の寸法（幅）が、第１の幅Ｗ１である区間と、第２の幅Ｗ２（＜Ｗ１）である区間とを有する。またこのとき、第２のフィルム状絶縁基板１００１は、第２の配線１００２の延在方向で見たときに、第２の幅Ｗ２である区間の両側に、第１の幅Ｗ１である区間を有する。
【００４６】
第２のフィルム状絶縁基板１００１における第１の幅Ｗ１、第２の幅Ｗ２、切り欠き部１００１ｃ，１００１ｄのｘ方向の寸法Ｄ２およびｙ方向の寸法Ｄ３の詳細については、第１のフレキシブル配線板３の概略構成を説明した後で述べる。
【００４７】
また、実施例１の液晶表示装置は、第１のフレキシブル配線板３のうちの、第２のフレキシブル配線板１０と接続される部分の構成を、たとえば、図３（ｂ）に示したような構成にする。すなわち、実施例１の液晶表示装置における第１のフレキシブル基板３は、第２のフィルム状絶縁基板１００１と対向する面に、位置合わせ用の固体部品として、チップ状の電子部品１４ａ，１４ｂを取り付ける。このとき、電子部品１４ａ，１４ｂは、たとえば、チップコンデンサまたはチップ抵抗などの汎用電子部品である。
【００４８】
またこのとき、一方の電子部品１４ａは、たとえば、第１のフィルム状絶縁基板３０２の表面に設けられたパッド３０３ａ，３０３ｂに、はんだ付けされている。また、他方の電子部品１４ｂは、たとえば、第１のフィルム状絶縁基板３０２の表面に設けられたパッド３０３ｃ，３０３ｄに、はんだ付けされている。なお、パッド３０３ａ，３０３ｂ，３０３ｃ，３０３ｄは、第１のフレキシブル配線板３を製造する過程で、第１の配線３０１などと同時に形成された導体パターンであり、たとえば、第１のフレキシブル配線板３の回路７とは電気的に接続していない孤立した導体パターンである。
【００４９】
またさらに、２つの電子部品１４ａ，１４ｂは、その間隙Ｗ３と、第２のフィルム状絶縁基板１００１の第１の幅Ｗ１および第２の幅Ｗ２との関係が、Ｗ１＞Ｗ３≧Ｗ２になるように第１のフレキシブル配線板３に取り付ける。このとき、２つの電子部品１４ａ，１４ｂの間隙Ｗ３は、たとえば、第２のフィルム状絶縁基板１００１の第２の幅Ｗ２よりも数μｍから数十μｍ程度だけ大きくすることが望ましい。
【００５０】
また、第２のフィルム状絶縁基板１００１に設ける切り欠き部１００１ｃ，１００１ｄのｘ方向の寸法Ｄ２は、たとえば、電子部品１４ａ，１４ｂのｘ方向の寸法Ｄ４よりも数μｍから数十μｍ程度だけ大きくすることが望ましい。
【００５１】
また、第２のフィルム状絶縁基板１００１に設ける切り欠き部１００１ｃ，１００１ｄのｙ方向の寸法Ｄ３は、たとえば、電子部品１４ａ，１４ｂのｙ方向の寸法Ｄ５の半分程度にする。
【００５２】
図４（ａ）および図４（ｂ）は、実施例１の液晶表示装置における第１のフレキシブル配線板と第２のフレキシブル配線板との接続部の概略構成および作用効果の一例を説明するための模式図である。
図４（ａ）は、実施例１の液晶表示装置における第１のフレキシブル配線板と第２のフレキシブル配線板との接続部の概略構成の一例を示す模式平面図である。図４（ｂ）は、図４（ａ）に示した部分を下側側面から見た模式側面図である。
なお、図４（ａ）および図４（ｂ）では、第１の配線３０１と第２の配線１００１とを接続固定するはんだ、それぞれの配線板の表面に設けられる保護膜を省略している。
【００５３】
実施例１の液晶表示装置における第２のフレキシブル配線板１０は、図３（ａ）に示したように、第２のフィルム状絶縁基板１００１に切り欠き部１００１ｃ，１００１ｄが設けられており、第１の幅Ｗ１よりも狭い第２の幅Ｗ２になっている区間を有する。またこのとき、切り欠き部１００１ｃ，１００１ｄが設けられた部分の周辺の平面形状は、図３（ｂ）に示した２つの電子部品１４ａ，１４ｂが取り付けられた部分と合致する形状になっている。そのため、第２のフレキシブル配線板１０の第２の配線１００２と第１のフレキシブル配線板３の第１の配線３０１とを接続するときには、たとえば、図４（ａ）および図４（ｂ）に示すように、第２のフレキシブル配線板１０の切り欠き部１００１ｃ，１００１ｄが設けられた部分を、第１のフレキシブル配線板３の電子部品１４ａ，１４ｂが取り付けられた部分にはめこむだけで、第１の配線３０１と第２の配線１００２とのｘｙ平面内での位置合わせができる。
【００５４】
このとき、電子部品１４ａ，１４ｂのｙ方向の寸法Ｄ５が、たとえば、０．５ｍｍであれば、第２のフィルム状絶縁基板１００１の余剰領域の寸法Ｄ６は、たとえば、０．６ｍｍ程度にすることができる。そのため、実施例１の液晶表示装置における第２のフレキシブル配線板１０は、第２のフィルム状絶縁基板１００１の第１の幅Ｗ１を、従来の第２のフレキシブル配線板１０における幅Ｗよりも狭くすることができる。
【００５５】
また、実施例１の液晶表示装置において、第１のフレキシブル配線板３に取り付ける電子部品１４ａ，１４ｂは、第１のフィルム状絶縁基板３０２の、第２のフレキシブル配線板１０と対向する面に表面実装されている。そのため、第１のフレキシブル配線板３は、たとえば、第１のフィルム状絶縁基板３０２の、第２のフレキシブル配線板１０と対向する面の裏面のうちの、電子部品１４ａ，１４ｂと重畳する領域にも、回路７に使用する配線を設けることができる。
【００５６】
したがって、実施例１の液晶表示装置は、従来の液晶表示装置に比べて、第１のフレキシブル配線板３および第２のフレキシブル配線板１０の外形寸法を小型化（小面積化）でき、液晶表示装置の小型化、狭額縁化が可能になる。
【００５７】
また、電子部品１４ａ，１４ｂは、たとえば、回路７の形成に使用するチップコンデンサやチップ抵抗などの電子部品とともに第１のフレキシブル配線板３に取り付けることが可能である。そのため、実施例１の液晶表示装置は、従来の液晶表示装置と比べて生産性を損なうこともない。
【００５８】
図５（ａ）乃至図５（ｃ）は、実施例１の液晶表示装置の応用例を説明するための模式図である。
図５（ａ）は、実施例１の応用例の要点を説明するための模式平面図である。図５（ｂ）は、実施例１の応用例における第１のフレキシブル配線板と第２のフレキシブル配線板との接続部の概略構成の一例を示す模式平面図である。図５（ｃ）は、図５（ｂ）に示した部分を下側側面から見た模式側面図である。
【００５９】
実施例１の液晶表示装置における第１のフレキシブル配線板３と第２のフレキシブル配線板１０との接続部の構成の一例である、図４（ａ）および図４（ｂ）に示した例では、第２のフレキシブル配線板１０の切り欠き部１００１ｃ，１００１ｄが電子部品１４ａ，１４ｂに接触することで、第１の配線３０１と第２の配線１００２とのｘｙ平面内での位置ずれを防ぐことができる。
【００６０】
しかしながら、図４（ａ）および図４（ｂ）に示したような接続方法の場合は、たとえば、第１の配線３０１と第２の配線１００２との位置合わせをしたときに、第２の配線１００２が第１の配線３０１の表面から浮いてしまうことがある。そのため、図４（ａ）および図４（ｂ）に示したような接続方法の場合は、たとえば、第１の配線３０１と第２の配線１００２との位置合わせをするときに、第１のフレキシブル配線板３と第２のフレキシブル配線板１０とを両面テープ１３で貼り合わせておくなどの対策が必要になる。すなわち、図４（ａ）および図４（ｂ）に示したような接続方法の場合は、第１のフレキシブル配線板３と第２のフレキシブル配線板１０とを両面テープ１３で貼り合わせる作業が必要になり、この点において液晶表示装置の組み立て作業性（生産性）が損なわれる。
【００６１】
したがって、第１のフレキシブル配線板３に電子部品１４ａ，１４ｂを取り付けるときには、たとえば、図５（ａ）に示すように、一方の電子部品１４ｂが有する２つの外部端子のうちの一方の外部端子のみを第１のフレキシブル配線板のパッド３０３ｃに、はんだ付けすることが望ましい。なお、図示は省略するが、他方の電子部品１４ａも同様に、２つの外部端子のうちの一方の外部端子のみを第１のフレキシブル配線板のパッド３０３ａに、はんだ付けする。
【００６２】
このとき、第１のフィルム状絶縁基板３０２の表面にパッド３０３ｂ，３０３ｄが無ければ、第１のフィルム状絶縁基板３０２の表面と電子部品１４ａ，１４ｂの底面と間に、距離Ｄ７の隙間が生じる。そのため、第１のフィルム状絶縁基板３０２の表面と電子部品１４ａ，１４ｂの底面と間に生じた隙間の距離Ｄ７が、たとえば、第２のフレキシブル配線板１０の厚さＤ８よりも大きければ、第２のフィルム状絶縁基板１００１のうちの、切り欠き部１００１ｃ，１００１ｄの近傍に位置する部分を、第１のフィルム状絶縁基板３０２の表面と電子部品１４ａ，１４ｂの底面との間に挿入することができる。
【００６３】
すなわち、応用例の液晶表示装置の組み立て作業において、第２のフレキシブル配線板１０の第２の配線１００２と第１のフレキシブル配線板３の第１の配線３０１とを接続するときには、第２のフレキシブル配線板１０の切り欠き部１００１ｃ，１００１ｄが設けられた部分を、第１のフレキシブル配線板３の電子部品１４ａ，１４ｂが取り付けられた部分にはめこんだ後、第２のフレキシブル配線板１０を−ｘ方向にずらす。このようにすることで、第２のフィルム状絶縁基板１００１の一部分が、たとえば、図５（ｂ）および図５（ｃ）に示すように、第１のフィルム状絶縁基板３０２の表面と電子部品１４ａ，１４ｂの底面との間に挿入される。そのため、応用例の液晶表示装置は、第１の配線３０１と第２の配線１００２とのｘｙ平面内での位置合わせをしたときに、第２の配線１００２が第１の配線３０１の表面から浮いてしまうことを防げ、第１の配線３０１と第２の配線１００２との接続不良を低減できる。
【００６４】
したがって、応用例の液晶表示装置は、組み立て作業に、従来のような両面テープ１３で第１のフレキシブル配線板３と第２のフレキシブル配線板１０とを貼り合わせる作業が不要になり、液晶表示装置の生産性が向上する。
【００６５】
図６（ａ）および図６（ｂ）は、実施例１の液晶表示装置の変形例の１つを説明するための模式図である。
図６（ａ）は、実施例１の変形例における第１のフレキシブル配線板の主要部の概略構成の一例を示す模式平面図である。図６（ｂ）は、図６（ａ）のＡ−Ａ’線における断面構成の一例を示す模式断面図である。
なお、図６（ｂ）は、断面であることを示すハッチングを省略している。
【００６６】
実施例１の液晶表示装置についての上記の説明では、第１のフレキシブル配線板３に取り付ける位置合わせ用の固体部品の一例として、チップ状の電子部品１４ａ，１４ｂを挙げている。しかしながら、第１のフレキシブル配線板３に取り付ける位置合わせ用の固体部品は、これに限らず、たとえば、図６（ａ）および図６（ｂ）に示すように、チップ状の電子部品を樹脂封止したパッケージ部品１５ａ，１５ｂであってもよいことはもちろんである。このとき、パッケージ部品１５ａ，１５ｂは、たとえば、封止樹脂１５０１の内部に１個または複数個のチップ状の電子部品（図示しない）を有し、当該電子部品の外部端子はリード１５０２に接続されている。
【００６７】
このようなパッケージ部品１５ａ，１５ｂを用いる場合も、チップ状の電子部品１４ａ，１４ｂを用いた場合と同様、従来の液晶表示装置に比べて、第１のフレキシブル配線板３および第２のフレキシブル配線板１０の外形寸法を小型化（小面積化）でき、液晶表示装置の小型化、狭額縁化が可能になる。
【００６８】
なお、固体部品としてパッケージ部品１５ａ，１５ｂを用いる場合も、たとえば、図５（ａ）乃至図５（ｃ）に示したような構成、すなわち第１のフィルム状絶縁基板３０２の表面とパッケージ部品１５ａ，１５ｂとの間に第２のフィルム状絶縁基板１００１の一部分を挿入することが可能な構成にできることはもちろんである。
【００６９】
また、実施例１の液晶表示装置についての上記の説明では、第１のフレキシブル配線板３に電子部品１４ａ，１４ｂまたはパッケージ部品１５ａ，１５ｂを取り付けるときに、電気的に孤立したパッド３０３ａ，３０３ｂ，３０３ｃ，３０３ｄにはんだ付けする例を挙げているが、これに限らず、たとえば、グランド電位の配線に接続された導体パターンにはんだ付けしてもよい。
【実施例２】
【００７０】
図７（ａ）および図７（ｂ）は、本発明による実施例２の液晶表示装置における第１のフレキシブル配線板３の主要部の概略構成の位置例を説明するための模式図である。
図７（ａ）は、実施例２の液晶表示装置における第１のフレキシブル配線板の主要部の概略構成の一例を示す模式平面図である。図７（ｂ）は、図７（ａ）のＢ−Ｂ’線における断面構成の一例を示す模式断面図である。
なお、図７（ｂ）は、断面であることを示すハッチングを省略している。
【００７１】
実施例２の液晶表示装置は、たとえば、図１に示したような構成であり、第１のフレキシブル配線板３の第１の配線３０１と第２のフレキシブル配線板１０の第２の配線が接続されている。
【００７２】
また、実施例２の液晶表示装置では、第１のフレキシブル配線板３に取り付ける位置合わせ用の固体部品として、コンデンサや抵抗などの電子部品とは異なる部品を用いる。このとき、第１のフレキシブル配線板３に取り付ける位置合わせ用の固体部品には、たとえば、図７（ａ）および図７（ｂ）に示したような構成のシールドフィンガ１６ａ，１６ｂを用いる。シールドフィンガ１６ａ，１６ｂは、それぞれ、前記第１のフレキシブル配線板３のパッド３０３ａ，３０３ｃに固着された第１の部分１６０１と、第１の部分１６０１と連結しており、かつ、前記第１のフレキシブル配線板３の上方側に折り曲げられた第２の部分１６０２とを有する部品であり、第２の部分１６０２はバネ性を有する。そのため、シールドフィンガ１６ａ，１６ｂを、第２の部分１６０２がｘ方向に延在するような向きで第１のフレキシブル配線板３のパッド３０３ａ，３０３ｃの上に取り付け、第２の部分１６０２の先端と第１の部分１６０１との距離Ｄ９が第２のフレキシブル配線板１０の厚さＤ８よりも大きくなるようにしておけば、シールドフィンガ１６ａ，１６ｂの第１の部分１６０１と第２の部分１６０２とで第２のフィルム状絶縁基板１００１の一部分を挟むことができる。
【００７３】
またこのとき、シールドフィンガ１６ａ，１６ｂは、たとえば、第２の部分１６０２の間隙Ｗ３が、第２のフィルム状絶縁基板１００１の第２の幅Ｗ２よりも数μｍから数十μｍだけ大きくなるように第１のフレキシブル配線板３に取り付ける。
【００７４】
図８（ａ）および図８（ｂ）は、実施例２の液晶表示装置における第１のフレキシブル配線板と第２のフレキシブル基板との接続部の概略構成および作用効果の一例を説明するための模式図である。
図８（ａ）は、実施例２の液晶表示装置における第１のフレキシブル配線板と第２のフレキシブル配線板との接続部の概略構成の一例を示す模式平面図である。図８（ｂ）は、図８（ａ）に示した部分を下側側面から見た模式側面図である。
なお、図８（ａ）および図８（ｂ）では、第１の配線３０１と第２の配線１００２とを接続固定するはんだ、それぞれの配線板の表面に設けられる保護膜を省略している。
【００７５】
実施例２の液晶表示装置における第２のフレキシブル配線板１０は、実施例１で説明したものと同様に、第２のフィルム状絶縁基板１００１に切り欠き部１００１ｃ，１００１ｄが設けられており、第１の幅Ｗ１よりも狭い第２の幅Ｗ２になっている区間を有する。またこのとき、切り欠き部１００１ｃ，１００１ｄが設けられた部分の周辺の平面形状は、２つのシールドフィンガ１６ａ，１６ｂが取り付けられた部分と合致する形状になっている。
【００７６】
そのため、実施例２の液晶表示装置の組み立て作業において、第２のフレキシブル配線板１０の第２の配線１００２と第１のフレキシブル配線板３の第１の配線３０１とを接続するときには、第２のフレキシブル配線板１０の切り欠き部１００１ｃ，１００１ｄが設けられた部分を、第１のフレキシブル配線板３のシールドフィンガ１６ａ，１６ｂが取り付けられた部分にはめこんだ後、第２のフレキシブル配線板１０を−ｘ方向にずらす。このようにすることで、第２のフィルム状絶縁基板１００１の一部分が、たとえば、図８（ａ）および図８（ｂ）に示すように、シールドフィンガ１６ａ，１６ｂの第１の部分１６０１と第２の部分１６０２との間に挿入される。したがって、実施例２の液晶表示装置は、第１の配線３０１と第２の配線１００２とのｘｙ平面内での位置合わせをしたときに、第２の配線１００２が第１の配線３０１の表面から浮いてしまうことを防げ、第１の配線３０１と第２の配線１００２との接続不良を低減できる。
【実施例３】
【００７７】
図９は、本発明による実施例３の液晶表示装置における第２のフレキシブル配線板の主要部の概略構成の一例を示す模式平面図である。
【００７８】
実施例３の液晶表示装置は、たとえば、図１に示したような構成であり、第１のフレキシブル配線板３の第１の配線３０１と第２のフレキシブル配線板１０の第２の配線が接続されている。
【００７９】
ところで、実施例１および実施例２の液晶表示装置における第２のフレキシブル配線板１０は、第２のフィルム状絶縁基板１００１に切り欠き１００１ｃ，１００１ｄを設けることで、第１の幅Ｗ１よりも狭い第２の幅Ｗ２である区間を設けている。
【００８０】
しかしながら、第２のフィルム状絶縁基板１００１に、第１の幅Ｗ１よりも狭い第２の幅Ｗ２である区間を設ける場合は、これに限らず、第２のフィルム状絶縁基板１００１を、たとえば、図９に示すような構成にして設けることも可能である。すなわち、第２のフィルム状絶縁基板１００１の第１の幅Ｗ１である区間と第２の幅Ｗ２である区間を設けるときには、第２の幅Ｗ２である第２のフィルム状絶縁基板１００１のｘ方向の辺に突出部１００１ｅ，１００１ｆを設け、第２の幅Ｗ２よりも広い第１の幅Ｗ１である区間を設けてもよい。この場合も、第１の幅Ｗ１、第２の幅Ｗ２、および第１のフレキシブル配線板３に取り付けた固体部品の間隙Ｗ３の関係は、Ｗ１＞Ｗ３≧Ｗ２にする。
【００８１】
図１０（ａ）および図１０（ｂ）は、実施例３の液晶表示装置における第１のフレキシブル配線板と第２のフレキシブル配線板との接続部の概略構成の例を説明するための模式図である。
図１０（ａ）は、実施例３の液晶表示装置において固体部品としてチップ状の電子部品を用いた場合の第１のフレキシブル配線板と第２のフレキシブル配線板との接続部の概略構成の一例を示す模式平面図である。図１０（ｂ）は、実施例３の液晶表示装置において固体部品としてシールドフィンガを用いた場合の第１のフレキシブル配線板と第２のフレキシブル配線板との接続部の概略構成の一例を示す模式平面図である。
【００８２】
実施例３の液晶表示装置において、第１のフレキシブル配線板３に取り付ける位置合わせ用の固体部品は、チップ状の電子部品１４ａ，１４ｂであってもよいし、パッケージ部品１５ａ，１５ｂであってもよい。また、位置合わせ用の固体部品は、シールドフィンガ１６ａ，１６ｂであってもよい。
【００８３】
位置合わせ用の固体部品としてチップ状の電子部品１４ａ，１４ｂを用いる場合、電子部品１４ａ，１４ｂは、たとえば、図１０（ａ）に示すように、一方の外部端子のみを第１のフレキシブル配線板３のパッド３０３ａ，３０３ｃにはんだ付けする。このようにすると、第１のフィルム状絶縁基板３０２の表面と電子部品１４ａ，１４ｂとの底面には距離Ｄ７の隙間が生じる。そのため、液晶表示装置の組み立て作業において、第２のフレキシブル配線板１０の第２の配線１００２と第１のフレキシブル配線板３の第１の配線３０１とを接続するときに、第２のフィルム状絶縁基板１００１の突出部１００１ｅ，１００１ｆの一部分を、第１のフィルム状絶縁基板３０２の表面と電子部品１４ａ，１４ｂとの底面との間に挿入することで、第１の配線３０１と第２の配線１００２のｘｙ平面内の位置合わせができ、かつ、第２の配線１００２が第１の配線３０１の表面から浮いてしまうことを防げる。
【００８４】
また、位置合わせ用の固体部品としてシールドフィンガ１６ａ，１６ｂを用いる場合、シールドフィンガ１６ａ，１６ｂは、たとえば、図１０（ｂ）に示すように、第２の部分がｘ方向に延在するように第１のフレキシブル配線板３のパッド３０３ａ，３０３ｃに取り付ける。このようにすると、液晶表示装置の組み立て作業において、第２のフレキシブル配線板１０の第２の配線１００２と第１のフレキシブル配線板３の第１の配線３０１とを接続するときに、第２のフィルム状絶縁基板１００１の突出部１００１ｅ，１００１ｆの一部分を、シールドフィンガ１６ａ，１６ｂの第１の部分と第２の部分の間に挿入することで、第１の配線３０１と第２の配線１００２のｘｙ平面内の位置合わせができ、かつ、第２の配線１００２が第１の配線３０１の表面から浮いてしまうことを防げる。
【００８５】
また、図示は省略するが、位置合わせ用の固体部品としてパッケージ部品１５ａ，１５ｂを用いる場合も同様に、第１の配線３０１と第２の配線１００２のｘｙ平面内の位置合わせができ、かつ、第２の配線１００２が第１の配線３０１の表面から浮いてしまうことを防げる。
【００８６】
したがって、実施例３の液晶表示装置は、従来の液晶表示装置に比べて生産性を向上させることができる。
【００８７】
また、実施例３の液晶表示装置が、従来の液晶表示装置に比べて、第１のフレキシブル配線板３および第２のフレキシブル配線板１０の外形寸法を小型化（小面積化）でき、液晶表示装置の小型化、狭額縁化が可能であることはもちろんである。
【００８８】
以上、本発明を、前記実施例に基づき具体的に説明したが、本発明は、前記実施例に限定されるものではなく、その要旨を逸脱しない範囲において、種々変更可能であることはもちろんである。
【００８９】
たとえば、実施例１乃至実施例３では、液晶表示パネル１に接続された第１のフレキシブル配線板３の第１の配線３０１と、発光部品９に接続された第２の配線１００２を有する第２のフレキシブル配線板１０との接続部を例に挙げている。しかしながら、本発明は、これに限らず、２つのフレキシブル配線板の配線同士を接続する部分であれば、当該２つのフレキシブル配線板の機能（用途）が第１のフレキシブル配線板３および第２のフレキシブル配線板１０とは異なる場合でも適用できることはもちろんである。
【００９０】
また、実施例１乃至実施例３では、第１のフレキシブル配線板３と第２のフレキシブル配線板１０の、２つのフレキシブル配線板の接続部を例に挙げている。しかしながら、本発明は、これに限らず、たとえば、リジッドなプリント配線板とフレキシブル配線板との接続部にも適用できることはもちろんである。
【図面の簡単な説明】
【００９１】
【図１】本発明に関わる液晶表示装置の概略構成の一例を示す模式分解斜視図である。
【図２（ａ）】従来の液晶表示装置における第１のフレキシブル配線板と第２のフレキシブル配線板との接続部の概略構成の一例を示す模式平面図である。
【図２（ｂ）】図２（ａ）に示した部分を下側側面から見た模式側面図である。
【図３（ａ）】実施例１の液晶表示装置における第２のフレキシブル配線板の主要部の概略構成の一例を示す模式平面図である。
【図３（ｂ）】実施例１の液晶表示装置における第１のフレキシブル配線板の概略構成の一例を示す模式平面図である。
【図４（ａ）】実施例１の液晶表示装置における第１のフレキシブル配線板と第２のフレキシブル配線板との接続部の概略構成の一例を示す模式平面図である。
【図４（ｂ）】図４（ａ）に示した部分を下側側面から見た模式側面図である。
【図５（ａ）】実施例１の応用例の要点を説明するための模式平面図である。
【図５（ｂ）】実施例１の応用例における第１のフレキシブル配線板と第２のフレキシブル配線板との接続部の概略構成の一例を示す模式平面図である。
【図５（ｃ）】図５（ｂ）に示した部分を下側側面から見た模式側面図である。
【図６（ａ）】実施例１の変形例における第１のフレキシブル配線板の主要部の概略構成の一例を示す模式平面図である。
【図６（ｂ）】図６（ａ）のＡ−Ａ’線における断面構成の一例を示す模式断面図である。
【図７（ａ）】実施例２の液晶表示装置における第１のフレキシブル配線板の主要部の概略構成の一例を示す模式平面図である。
【図７（ｂ）】図７（ａ）のＢ−Ｂ’線における断面構成の一例を示す模式断面図である。
【図８（ａ）】実施例２の液晶表示装置における第１のフレキシブル配線板と第２のフレキシブル配線板との接続部の概略構成の一例を示す模式平面図である。
【図８（ｂ）】図８（ａ）に示した部分を下側側面から見た模式側面図である。
【図９】本発明による実施例３の液晶表示装置における第２のフレキシブル配線板の主要部の概略構成の一例を示す模式平面図である。
【図１０（ａ）】実施例３の液晶表示装置において固体部品としてチップ状の電子部品を用いた場合の第１のフレキシブル配線板と第２のフレキシブル配線板との接続部の概略構成の一例を示す模式平面図である。
【図１０（ｂ）】実施例３の液晶表示装置において固体部品としてシールドフィンガを用いた場合の第１のフレキシブル配線板と第２のフレキシブル配線板との接続部の概略構成の一例を示す模式平面図である。
【符号の説明】
【００９２】
１…液晶表示パネル
２…ドライバＩＣチップ
３…第１のフレキシブル配線板
３０１…第１の配線
３０２…第１のフィルム状絶縁基板
３０３ａ，３０３ｂ，３０３ｃ，３０３ｄ…パッド
４…バックライト
５…ＴＦＴ基板
６…対向基板
７…回路
８…導光板
９…発光部品
１０…第２のフレキシブル配線板
１００１…第２のフィルム状絶縁基板
１００１ａ，１００１ｂ…位置合わせ用の穴
１００１ｃ，１００１ｄ…切り欠き部
１００１ｅ，１００１ｆ…突出部
１００２…第２の配線
１１…収納ケース
１２ａ，１２ｂ…位置合わせ用の突起
１３…両面テープ
１４ａ，１４ｂ…（チップ状の）電子部品
１５ａ，１５ｂ…パッケージ部品
１５０１…封止樹脂
１５０２…リード
１６ａ，１６ｂ…シールドフィンガ
１６０１…（シールドフィンガの）第１の部分
１６０２…（シールドフィンガの）第２の部分
【図１】
2009294597.tif 000003
【図２（ａ）】
2009294597.tif 000004
【図２（ｂ）】
2009294597.tif 000005
【図３（ａ）】
2009294597.tif 000006
【図３（ｂ）】
2009294597.tif 000007
【図４（ａ）】
2009294597.tif 000008
【図４（ｂ）】
2009294597.tif 000009
【図５（ａ）】
2009294597.tif 000010
【図５（ｂ）】
2009294597.tif 000011
【図５（ｃ）】
2009294597.tif 000012
【図６（ａ）】
2009294597.tif 000013
【図６（ｂ）】
2009294597.tif 000014
【図７（ａ）】
2009294597.tif 000015
【図７（ｂ）】
2009294597.tif 000016
【図８（ａ）】
2009294597.tif 000017
【図８（ｂ）】
2009294597.tif 000018
【図９】
2009294597.tif 000019
【図１０（ａ）】
2009294597.tif 000020
【図１０（ｂ）】
2009294597.tif 000021